(57)【要約】【課題】  景品を掬いやすく、しかも、掬った景品を落下させる際に景品の落下状況を正面から確認することのできる景品獲得ゲーム装置を提供する。【解決手段】  景品を載置して移動するターンテーブルと、景品掬い上げ位置Ｂでターンテーブル上の景品を掬い上げ所定の景品放出位置Ｃで景品を落下させる景品掬い上げ手段２２と、景品掬い上げ手段２２を景品掬い上げ位置Ｂと景品放出位置Ｃとの間で往復移動させる掬い上げ手段移動機構２４とを有し、落下した景品を景品獲得位置を介して外部に取り出す景品獲得ゲーム装置において、掬い上げ手段移動機構２４が景品掬い上げ手段２２を景品掬い上げ位置Ｂと景品放出位置Ｃとの間で往復移動させる際に景品掬い上げ手段２２の角度を変換する角度変換機構４０を有する。【選択図】        図２
2006198077.tif 000002
【特許請求の範囲】
【請求項１】
景品を載置して移動するターンテーブルと、景品掬い上げ位置で前記ターンテーブル上の景品を掬い上げ所定の景品放出位置で景品を放出する景品掬い上げ手段と、前記景品掬い上げ手段を前記景品掬い上げ位置と前記景品放出位置との間で往復移動させる掬い上げ手段移動機構とを有し、落下した景品を景品獲得口を介して外部に取り出す景品獲得ゲーム装置において、
前記掬い上げ手段移動機構が前記景品掬い上げ手段を前記景品掬い上げ位置と前記景品放出位置との間で往復移動させる際に前記景品掬い上げ手段と前記掬い上げ手段移動機構との角度を変換する角度変換機構を有することを特徴とする景品獲得ゲーム装置。
【請求項２】
請求項１記載の景品獲得ゲーム装置において、
前記景品放出位置には、前記ターンテーブル上方で景品放出位置から前記景品獲得口に至るまで配置されて落下した景品を載置する固定テーブルと、前記固定テーブル上で前記景品獲得口に対して進退動して固定テーブル上の景品を前記景品獲得口側へ押し出すプッシャーテーブルとが配設されていることを特徴とする景品獲得ゲーム装置。
【請求項３】
請求項２記載の景品獲得ゲーム装置において、
前記角度変換機構は、前記景品掬い上げ位置で前記景品掬い上げ手段を前記ターンテーブルの移動方向と直交する方向に向けて位置させ、前記景品放出位置で景品掬い上げ手段を前記プッシャーテーブルの進退方向と直交する方向に向けて位置させることを特徴とする景品獲得ゲーム装置。
【請求項４】
請求項３記載の景品獲得ゲーム装置において、
前記ターンテーブルは、ターンテーブルの移動方向と交差する方向における景品載置面の断面形状が前記景品掬い上げ手段が景品を掬う際の動作軌跡に略相応した湾曲形状とされていることを特徴とする景品獲得ゲーム装置。
【請求項５】
請求項４記載の景品獲得ゲーム装置において、
前記景品載置面には、前記景品掬い上げ手段による景品掬い側と反対側の底面に景品を景品載置面の中央側に滑り寄せるための傾斜面が形成されていることを特徴とする景品獲得ゲーム装置。
【請求項６】
請求項４又は５記載の景品獲得ゲーム装置において、
前記景品載置面には、景品を景品載置面から浮き上がらせた状態で支持する多数の柔軟な起立材が敷設されていることを特徴とする景品獲得ゲーム装置。
【請求項７】
請求項１〜６のいずれかに記載の景品獲得ゲーム装置において、
前記角度変換機構は、前記掬い上げ手段移動機構の往復移動と連動して前記景品掬い上げ手段の角度を変換することを特徴とする景品獲得ゲーム装置。
【請求項８】
請求項７記載の景品獲得ゲーム装置において、
前記掬い上げ手段移動機構は、一対のリンクアームを平行に回動させる平行リンク機構と、前記平行リンク機構に水平状態を維持可能に支持された掬い上げ手段支持部材と、下端に前記掬い上げ手段を支持し前記掬い上げ手段支持部材に回転可能に支持された回転シャフトとを有し、
前記角度変換機構は、一方の前記リンクアームの上端に固定された変換用ブラケットと、前記変換用ブラケットに取り付けたピンに対し水平方向でスライド可能かつ回転可能に取り付けられたスライドブロックと、前記スライドブロックに上下方向でスライド可能に設けられた変換用ピンと、一端が前記変換用ピンに長孔を介して連結され、他端が前記回転シャフトの上端に固定された変換用アームとを有することを特徴とする景品獲得ゲーム装置。
【発明の詳細な説明】
【技術分野】
【０００１】
本発明は、回転するターンテーブル上の景品を景品掬い上げ手段にて掬い上げ、景品を放出する位置で景品掬い上げ手段から放出させる景品獲得ゲーム装置に関する。
【背景技術】
【０００２】
一般に、景品獲得ゲーム装置と称されるゲーム装置が知られている。
【０００３】
この景品獲得ゲーム装置は、例えば、回転するターンテーブル上の景品をアーム先端のショベルで掬い上げてタイミングよく固定テーブル上に落とすと、落とされた景品は通路上を景品獲得口に向かう方向へ前後に移動するプッシャーテーブルに押され、固定テーブル上に前もって載置された景品が順次押されて通路の側にある景品が景品獲得口に落ちることにより獲得できるようになっている。
【０００４】
このような景品獲得ゲーム装置においては、景品を掬う時点でのショベルの向きは、ターンテーブルの移動方向と略対向する向きにされており、景品を固定テーブルに落とす時点でのショベルの向きは、景品を掬う時点でのショベルの向きと同じにされていた（特許文献１参照）。
【特許文献１】実公平３−４５７５１号公報
【発明の開示】
【発明が解決しようとする課題】
【０００５】
このような景品獲得ゲーム装置にあっては、景品を掬う時点でのショベルのスイングの向きをターンテーブルの移動方向と略対向する向きにされていると、掬った景品を固定テーブルに落とす際には特に問題はないが、景品を掬おうとしてショベルの先端がターンテーブルに接近する際にショベルの先端と景品とがぶつかることがあり、この場合、ショベルの先端が景品の下に入り込むことができず、景品を掬えないということがあった。
【０００６】
そのため、景品を掬う時点でのショベルのスイングの向きをターンテーブルの移動方向と異なる方向、例えばターンテーブルの移動方向と交差する方向にし、ターンテーブルの断面形状とショベルのスイング時におけるショベル先端の軌跡とを略同一とすることで、掬いやすさは格段に向上する。
【０００７】
しかし、一方で掬った景品を固定テーブルに落とす際、景品を落とす状況を正面から確認しにくくなり、しかも、落下した景品が固定テーブルの中央に集中して広い範囲に散らばりにくいということになる。
【０００８】
このように、ショベルのスイングの向きは状況により最適な方向が異なることがあったが、従来のものはスイングの向きは固定であった。
【０００９】
本発明の目的は、景品を掬いやすく、しかも、掬った景品を落下させる際に景品の落下状況を正面から確認することのできる景品獲得ゲーム装置を提供することにある。
【００１０】
本発明の他の目的は、掬った景品を落下させる際に、中央に集中させずに広い範囲に散らすことのできる景品獲得ゲーム装置を提供することにある。
【課題を解決するための手段】
【００１１】
前記目的を達成するため、本発明の景品獲得ゲーム装置は、
景品を載置して移動するターンテーブルと、景品掬い上げ位置で前記ターンテーブル上の景品を掬い上げ所定の景品放出位置で景品を放出する景品掬い上げ手段と、前記景品掬い上げ手段を前記景品掬い上げ位置と前記景品放出位置との間で往復移動させる掬い上げ手段移動機構とを有し、落下した景品を景品獲得口を介して外部に取り出す景品獲得ゲーム装置において、
前記掬い上げ手段移動機構が前記景品掬い上げ手段を前記景品掬い上げ位置と前記景品放出位置との間で往復移動させる際に前記景品掬い上げ手段と前記掬い上げ手段移動機構との角度を変換する角度変換機構を有することを特徴とする。
【００１２】
本発明によれば、掬い上げ手段移動機構が前記景品掬い上げ手段を前記景品掬い上げ位置と前記景品放出位置との間で往復移動させる際に角度変換機構が前記景品掬い上げ手段と吸い上げ手段移動機構の角度を変換することにより、景品掬い上げ位置においては景品を掬い上げやすい角度に、また、景品放出位置においては放出状態が正面から確認することのできる角度に、それぞれ景品掬い上げ手段の角度を変換することができる。
【００１３】
したがって、景品を掬いやすく、しかも、掬った景品を落下させる際に景品を落とす状況を確認することが可能となる。
【００１４】
本発明においては、前記景品放出位置には、前記ターンテーブル上方で景品放出位置から前記景品獲得口に至るまで配置されて落下した景品を載置する固定テーブルと、前記固定テーブル上で前記景品獲得口に対して進退動して固定テーブル上の景品を前記景品獲得口側へ押し出すプッシャーテーブルとが配設されるようにすることができる。
【００１５】
このような構成とすることにより、景品掬い上げ手段にて掬い上げた景品を単に景品獲得口に放出するだけでなく、プッシャーテーブルの動きにより固定テーブル上の景品が景品獲得口に落下させられる状態を楽しむことができ、しかも、固定テーブル上に景品が落下する状況を確認しながらゲームを楽しむことができる。
【００１６】
この場合、前記角度変換機構は、前記景品掬い上げ位置で前記景品掬い上げ手段を前記ターンテーブルの移動方向と直交する方向に向けて位置させ、前記景品放出位置で景品掬い上げ手段を前記プッシャーテーブルの進退方向と直交する方向に向けて位置させるようにすることができる。
【００１７】
このような構成とすることにより、景品掬い上げ位置で景品掬い上げ手段をターンテーブルの移動方向と直交する方向に向けて位置させることで、景品掬い上げ手段がターンテーブル上の景品に近づいても景品にぶつかるようなことはなく、景品が掬えなくなるような状態を確実に防止できる。
【００１８】
また、前記景品放出位置で景品掬い上げ手段を前記プッシャーテーブルの進退方向と直交する方向に向けて位置させることで、掬った景品を落下させる際に景品の落下状況を正面から確実に確認することができ、しかも、掬った景品を落下させる際に、中央に集中させずにより広い範囲に散らすことができる。
【００１９】
この場合、前記ターンテーブルは、ターンテーブルの移動方向と交差する方向における景品載置面の断面形状を前記景品掬い上げ手段が景品を掬う際の動作軌跡に略相応した湾曲形状とすることができる。
【００２０】
このような構成とすることにより、景品掬い上げ手段が景品載置面に沿って掬い動作を行うため、景品掬い上げ手段の先端が景品の下面側に入り込みやすく、それだけ景品の掬い上げ率を向上させることができる。
【００２１】
また、この場合、前記景品載置面には、前記景品掬い上げ手段による景品掬い側と反対側の底面に景品を景品載置面の中央側に滑り寄せるための傾斜面を形成することができる。
【００２２】
このような構成とすることにより、景品掬い上げ動作によって景品掬い側と反対側の押された景品を傾斜面によって景品載置面の中央側に滑り寄せることができ、景品を常に景品載置面の中央側に位置させて景品の掬い上げ率を向上させることができる。
【００２３】
さらに、前記景品載置面には、景品を景品載置面から浮き上がらせた状態で支持する多数の柔軟な起立材を敷設することができる。
【００２４】
このような構成とすることにより、起立材によって景品が浮上り状態となるため、景品の下面側に景品掬い上げ手段の先端を確実に入り込ませて景品の掬い上げ率を向上させることができる。
【００２５】
本発明においては、前記角度変換機構は、前記掬い上げ手段移動機構の往復移動と連動して前記景品掬い上げ手段の角度を変換するようにすることができる。
【００２６】
このような構成とすることにより、景品掬い上げ手段の角度変換動作を掬い上げ手段移動機構の１つの動作で行わせることができ、角度変換機構のための独立した駆動装置を省略することができる。
【００２７】
この場合、前記掬い上げ手段移動機構は、一対のリンクアームを平行に回動させる平行リンク機構と、前記平行リンク機構に水平状態を維持可能に支持された掬い上げ手段支持部材と、下端に前記景品掬い上げ手段を支持し前記掬い上げ手段支持部材に回転可能に支持された回転シャフトとを有し、
前記角度変換機構は、一方の前記リンクアームの上端に固定された変換用ブラケットと、前記変換用ブラケットに取り付けたピンに対し水平方向でスライド可能かつ回転可能に取り付けられたスライドブロックと、前記スライドブロックに上下方向でスライド可能に設けられた変換用ピンと、一端が前記変換用ピンに長孔を介して連結され、他端が前記回転シャフトの上端に固定された変換用アームとを有するものとすることができる。
【００２８】
このような構成とすることにより、平行リンク機構の一方のリンクアームの他方のリンクアームに対する距離の変化を変換用ブラケット、スライドブロック及び変換用ピンを介して変換用アームに伝達し、この変換用アームが回転シャフトを中心として回転することで、その変換用アームの回転を回転シャフトに伝達し、この回転シャフトの回転によって景品掬い上げ手段を回転させ、これによって平行リンク機構と連動して確実に景品掬い上げ手段の角度を変換することができる。
【発明を実施するための最良の形態】
【００２９】
以下、本発明の実施の形態について、図面を参照して詳細に説明する。
【００３０】
図１〜図６は、本発明の一実施の形態に係る景品獲得ゲーム装置を示す図である。
【００３１】
図１は、本実施の形態に係る景品獲得ゲーム装置の全体概略斜視図であり、この景品獲得ゲーム装置１０は、筐体１２の上面に透明なプラスチックからなるディスプレイドーム１４が設けられ、このディスプレイドーム１４内には多数の景品１６が載置されたターンテーブル１８が一定方向に一定速度で回転する状態で設けられている。
【００３２】
また、ディスプレイドーム１４内には、ターンテーブル１８上の景品１６を掬い上げるための景品掬い部２０が設けられている。
【００３３】
この景品掬い部２０は、景品掬い上げ手段２２が掬い上げ手段移動機構２４によってターンテーブル１８側の景品掬い上げ位置Ｂと掬い上げた景品１６を落下させる景品放出位置Ｃとの間を移動可能に設けられている。
【００３４】
この景品放出位置の下方には予め複数の景品１６が載せられる固定テーブル２６が設けられ、固定テーブル２６の一端側の下方には、筐体１２の外周部に設けられた景品取り出し口２８に連通された景品獲得口３０が設けられ、固定テーブル２６の他端側（ディスプレイドーム１４の中心側）には、固定テーブル２６上を矢印Ａ方向に往復移動するプッシャーテーブル３２が設けられている。
【００３５】
また、筐体１２には、操作部３４が設けられ、この操作部３４には所定のコインを投入するコイン投入部３６や景品掬い上げ手段２２を作動する２個の作動ボタン３８ａ、３８ｂが設けられている。
【００３６】
そして、プレーヤがコイン投入部３６よりコインを投入し、作動ボタン３８ａ、３８ｂを操作して景品掬い上げ手段２２によりターンテーブル１８上の景品１６を掬い上げ、掬い上げた景品１６を固定テーブル２６上に落下させると、固定テーブル２６上の景品１６がプッシャーテーブル３２の移動によって景品獲得口３０側に押し出されて落下することで景品１６が獲得できるようになっている。
【００３７】
なお、この景品獲得ゲーム装置１０には、４箇所の操作部３４と、それに所属する景品掬い部２０等がターンテーブル１８の周りに設けられ、４人同時にプレーすることができるようになっている。
【００３８】
次に、景品掬い部２０の詳細について図２〜図５を参照して説明する。
【００３９】
この景品掬い部２０は、掬い上げ手段移動機構２４が景品掬い上げ手段２２を景品掬い上げ位置Ｂと景品放出位置Ｃとの間で往復移動させる間に、角度変換機構４０によって景品掬い上げ手段２２の角度を変換するようになっている。
【００４０】
景品掬い上げ手段２２は、景品を掬うショベル４２と、このショベル４２を掬い上げ位置Ｄと放出位置Ｅ（図３参照）との間で回動させ、ショベル４２に景品１６の掬い上げ動作及び放出動作を行わせるショベル駆動装置４４とを有し、掬い上げ手段移動機構２４に吊り下げ支持された状態となっている。
【００４１】
掬い上げ手段移動機構２４は、平行リンク機構４６と、掬い上げ手段支持部材４８と、回転シャフト５０とを有している。
【００４２】
平行リンク機構４６は、一対のリンクアーム５２ａ、５２ｂと、リンクアーム駆動装置５４（図３及び図５参照）とを有している。
【００４３】
一対のリンクアーム５２ａ、５２ｂは、図２及び図３に示すように、同じ長さのもので、向かって左側のリンクアーム５２ａの下端が高い位置にピン５６ａにて支持部材５８に回転可能に取り付けられ、向かって右側のリンクアーム５２ｂの下端がリンクアーム５２ａの下端よりも低い位置にピン５６ｂにて支持部材５８に取り付けられるようになっている。
【００４４】
したがって、向かって左側のリンクアーム５２ａの上端は垂直状態で右側のリンクアーム５２ｂの上端よりも高くなっている。
【００４５】
この一対のリンクアーム５２ａ、５２ｂの上端には、掬い上げ手段支持部材４８が取り付けられるようになっている。
【００４６】
この掬い上げ手段支持部材４８は、ボックス状のもので、一対のリンクアーム５２ａ、５２ｂの上端部にそれぞれピン６０ａ、６０ｂを介して高さの違う位置で回転可能に取り付けられている。
【００４７】
リンクアーム駆動装置５４は、図３に示すように、図示せぬ駆動モータと、この駆動モータによって回転する回転板６２と、この回転板６２と一方のリンクアーム５２ｂの下部とをピン６４にて連結する連結プレート６６とを有し、回転板６２の回転に伴い、連結プレート６６が移動することによってリンクアーム５２ａ、５２ｂを景品掬い上げ位置Ｂと景品放出位置Ｃとの間で往復移動させるようになっている。
【００４８】
この場合、リンクアーム５２ａ、５２ｂが景品放出位置Ｃを景品掬い上げ位置Ｂとの間を往復移動している場合でも掬い上げ手段支持部材４８が常に水平状態を維持し得るようになっている。
【００４９】
そして、掬い上げ手段支持部材４８に回転シャフト５０が回転可能かつ垂直状態で取り付けられ、この回転シャフト５０の下端部に、景品掬い上げ手段２２が支持された状態となっている。
【００５０】
したがって、一対のリンクアーム５２ａ、５２ｂが景品放出位置Ｃから景品掬い上げ位置Ｂに移動した場合、景品掬い上げ手段２２は垂直状態を維持したままの状態となる。
【００５１】
角度変換機構４０は、変換用ブラケット６８と、スライドブロック７０と、変換用ピン７２と、変換用アーム７４とを有している。
【００５２】
変換用ブラケット６８は、図４にも示すように、一方のリンクアーム５２ｂの上端に取り付けられている。
【００５３】
スライドブロック７０は、変換用ブラケット６８に取り付けたピン７６に対し水平方向（前後方向）でスライド可能かつ回転可能に取り付けられた状態となっている。
【００５４】
変換用ピン７２は、スライドブロック７０に上下方向にスライド可能に設けられた状態となっている。
【００５５】
変換用アーム７４は、変換用ピン７２の位置の変化を回転角に変換するもので、一端が変換用ピン７２に長孔７８を介して連結され、他端が回転シャフト５０の上端に回転ブロック８０を介して固定された状態となっている。
【００５６】
また、この回転シャフト５０と変換用ピン７２との中心間距離の調節でショベル４２の回転角度を決めるようになっており、回転ブロック８０に対する変換用アーム７４の水平取付け向きを変えることで、出発点でのショベル４２の水平向きを決めるようになっている。
【００５７】
そして、図５に示すように、リンクアーム５２ａ、５２ｂが景品放出位置Ｃの状態にあるときに、変換用アーム７４はショベル４２がプッシャーテーブル３２の進退方向Ａと直交する方向に向けて位置させている。
【００５８】
この状態からリンクアーム５２ａ、５２ｂを景品掬い上げ位置Ｂ方向に回動させると、掬い上げ手段支持部材４８は水平状態を維持したまま、変換用ブラケット６８がリンクアーム５２ｂとともに回動を始めるが、このときの変換用ブラケット６８と掬い上げ手段支持部材４８との位置関係をスライドブロック７０のピン７６に対する回転とスライド及び変換用ピン７２のスライドブロック７０に対するスライドによって吸収するようにしている。
【００５９】
そして、最終的には、図５に示すように、リンクアーム５２ａ、５２ｂが景品掬い上げ位置Ｂの状態になると、変換用アーム７４が当初の位置Ｆから最終的な位置Ｇにまで揺動し、その結果、ショベル４２がターンテーブル１８の直交する方向に向けて位置させるようになっている。
【００６０】
このように、リンクアーム５２ａ、５２ｂの回動に連動してショベル４２の角度を変換することで、リンクアーム５２ａ、５２ｂの１つの動作でショベル４２の角度変換動作を行わせることができ、角度変換機構４０のための独立した駆動装置が不要となる。
【００６１】
このショベル４２の景品掬い上げ位置Ｂにおける角度は、リンクアーム５２ａ、５２ｂの回動角度位置によって変化するため、図３に示すように、リンクアーム５２ｂと当接するストッパ８２を設けることで、回動位置を規制するようにしている。
【００６２】
このように、景品掬い上げ位置Ｂでショベル４２をターンテーブル１８の移動方向Ｈ（図５参照）と直交する方向に向けて位置させることで、ショベル４２がターンテーブル１８上の景品１６に近づいても景品１６にぶつかるようなことがなく、景品１６が掬えなくなるような状態を確実に防止することができる。
【００６３】
また、景品放出位置Ｃでショベルをプッシャーテーブル３２の進退方向Ａと直交する方向に向けて位置させることで、掬った景品１６を落下させる際に景品１６の落下状況を正面から確実に確認することができ、しかも、掬った景品を落下させる際に、中央に集中させずにより広い範囲に散らすことができることとなる。
【００６４】
さらに、景品掬い上げ位置Ｂでショベル４２をターンテーブル１８の移動方向と直交する方向に向けて位置させるようにしたことに伴って、図６に示すように、ターンテーブル１８の移動方向Ｈ（図５参照）と交差する方向における景品載置面８４を断面形状をショベル４２が景品１６を掬う際の動作軌跡８６にほぼ相応した湾曲形状としている。
【００６５】
これによって、ショベル４２が景品載置面８４に沿って掬い動作を行うため、ショベル４２の先端が景品１６の下面側に入り込みやすく、それだけ景品１６の掬い上げ率を向上させることができることとなる。
【００６６】
また、景品載置面８４には、ショベル４２による景品掬い側と反対側の底面に景品１６を景品載置面８４の中央側に滑り寄せるための傾斜面８８を形成するようにしている。
【００６７】
これによって、景品掬い上げ動作によって景品掬い側と反対側に押された景品を傾斜面８８によって景品載置面８４の中央側に滑り寄せることができ、景品１６を常に景品載置面８４の中央側に位置させて景品１６の掬い上げ率を向上させることができることとなる。
【００６８】
さらに、景品載置面８４には、景品１６を景品載置面８４から浮き上がらせた状態で支持する多数の柔軟な起立材９０を有する敷物９２を敷設して、敷物９２の起立材９０によって景品１６が浮き上がり状態となり、景品１６の下面側にショベル４２の先端を確実に入り込ませて景品の掬い上げ率を向上させるようにしている。
【００６９】
本発明は、前記実施の形態に限定されるものではなく、本発明の要旨の範囲内において種々の形態に変形可能である。
【００７０】
例えば、前記実施の形態では、景品掬い上げ位置でショベルをターンテーブルの移動方向と直交する方向に向けて位置させ、景品放出位置でショベルをプッシャーテーブルの進退方向と直交する方向に向けて位置させるようにしているが、若干の位置の変更は適宜なし得るものである。
【図面の簡単な説明】
【００７１】
【図１】本発明の一実施の形態に係る景品獲得ゲーム装置を示す全体概略図である。
【図２】図１の景品掬い部の状態を示す概略斜視図である。
【図３】図２の景品掬い部の正面図である。
【図４】図３の角度変換部の拡大側面図である。
【図５】図２の景品掬い部の概略平面図である。
【図６】ターンテーブルの形状を示す断面図である。
【符号の説明】
【００７２】
１０  景品獲得ゲーム装置
１６  景品
１８  ターンテーブル
２０  景品掬い部
２２  景品掬い上げ手段
２４  掬い上げ手段移動機構
２６  固定テーブル
３０  景品獲得口
３２  プッシャーテーブル
４０  角度変換機構
４２  ショベル
４６  平行リンク機構
４８  掬い上げ手段支持部材
５０  回転シャフト
５２ａ、５２ｂ  リンクアーム
６８  変換用ブラケット
７０  スライドブロック
７２  変換用ピン
７４  変換用アーム
７６  ピン
７８  長孔
８４  景品載置面
８６  動作軌跡
８８  傾斜面
９０  起立材
９２  敷物
【図１】
2006198077.tif 000003
【図２】
2006198077.tif 000004
【図３】
2006198077.tif 000005
【図４】
2006198077.tif 000006
【図５】
2006198077.tif 000007
【図６】
2006198077.tif 000008